(57)【要約】      （修正有）【課題】硬貨を収容して硬貨の集計を行うことができると共に、集計した状態をそのまま保って運搬や保管することができ、さらには、保管性や運搬性や、各硬貨の硬貨収容部を効率良く使用できる硬貨収納計数器を提供する。【解決手段】硬貨収納計数器１は、硬貨毎に各硬貨を重ねながら収容する複数の硬貨収容部１１ａ〜１１ｆを横方向に並設すると共に、各硬貨収容部１１ａ〜１１ｆには、収容された硬貨を計数するための計数目盛が設けられた収納計数器本体１１と、収納計数器本体１１の複数の硬貨収容部１１ａ〜１１ｆ側を塞ぐ蓋体１２とから構成する。また、蓋体１２を下に敷いてその上に収納計数器本体１１の硬貨収容部１１ａ〜１１ｆが上を向くよう置く場合には、起立側面部１２２ａの上端部に側方突出部１１２ａの下端部が当接して、収納計数器本体１１の下側面１１３側が低く、かつ、上側面側が高くなるように設置される。【選択図】図１
0003178419.tif 000002
【実用新案登録請求の範囲】
【請求項１】
硬貨毎に各硬貨を重ねながら収容する複数の硬貨収容部を横方向に並設すると共に、各硬貨収容部には、収容された硬貨を計数するため各硬貨の厚さに応じた計数目盛が設けられた収納計数器本体と、
収納計数器本体の複数の硬貨収容部側を塞ぐ蓋体と、から構成され、
収納計数器本体の左右両側面における上側面側には、それぞれ、側方に突出する側方突出部を設ける一方、蓋体の左右両側面における上側面側は、それぞれ、蓋体により蓋をした際に収納計数器本体の側方突出部を避けるように切欠いて、下側面側に起立側面部を形成しており、
収納計数器本体に対しその複数の硬貨収容部を塞ぐように蓋体により蓋をした際には、側方突出部と起立側面部とが奥側と手前側とに互い違いに位置する一方、蓋体を下に敷いてその上に収納計数器本体をその複数の硬貨収容部が上を向くように置いた場合、起立側面部の上端部に側方突出部の下端部が当接して、収納計数器本体は、蓋体の上に下側面側が低く、かつ、上側面側が高くなるように設置されることを特徴とする硬貨収納計数器。
【請求項２】
請求項１記載の硬貨収納計数器において、
蓋体の上側面の裏側には係止用突起を設け、その上側面の裏側と係止用突起により係止用凹部が形成される一方、収納計数器本体の下側面の表側には、その係止用凹部に嵌まる係止用凸部が設け、
蓋体を下に敷いてその上に収納計数器本体をその複数の硬貨収容部が上を向くように置いた場合、起立側面部の上端部に側方突出部の下端部が当接して、収納計数器本体は、蓋体の上に下側面側が低く、かつ、上側面側が高くなるように設置されると共に、収納計数器本体の係止用凸部が蓋体の係止用凹部に嵌まるように構成したことを特徴とする硬貨収納計数器。
【請求項３】
請求項１または請求項２記載の硬貨収納計数器において、さらに、
収納計数器本体に対しその複数の硬貨収容部を塞ぐように蓋体により蓋をした際には、側方突出部と起立側面部とが奥側と手前側とに互い違いに位置し、かつ、側方突出部と起立側面部との間に隙間が空かず、それらの側面が面一になるように、側方突出部と起立側面部とが構成されていることを硬貨収納計数器。
【請求項４】
請求項１〜請求項３のいずれか一の請求項に記載の硬貨収納計数器において、さらに、
５００円硬貨等の直径が大きい大硬貨を収容する硬貨収容部の左右両側面の上部には、それぞれ、切欠き部を設ける一方、その硬貨収容部に収容され、かつ、大硬貨の直径より小さい直径の小硬貨を収容する着脱可能な着脱式小硬貨ホルダーを有し、
その着脱式小硬貨ホルダーの左右両側面の外側の上部には、その大きい硬貨を収容する硬貨収容部の左右両側面の切欠き部にそれぞれ嵌まってその着脱式小硬貨ホルダーがその硬貨収容部の下側面まで落下することを防止するホルダー落下防止凸部を設ける一方、その着脱式小硬貨ホルダーの左右両側面の内側の下部には、その小硬貨が当たり下方へ落ちないようにした硬貨落下防止凸部を設けたことを特徴とする硬貨収納計数器。
【請求項５】
請求項１〜請求項４のいずれか一の請求項に記載の硬貨収納計数器において、
収納計数器本体および蓋体の内側の縦方向および横方向の長さは、紙幣の中で大きさが最大の１万円札の縦方向および横方向の長さ以上あり、
収容計数機本体の複数の硬貨収容部は、それぞれ対応する硬貨を収容した際に、収容した硬貨の上部の高さが同じ高さに揃うように各硬貨収容部の底部を対応する各硬貨の大きさに応じて凸凹に構成し、
蓋体は、収納計数器本体の複数の硬貨収容部にそれぞれ対応する硬貨を収容して蓋をした状態でも、その硬貨の上部と蓋体の天板裏面との間に、紙幣を収容する空間ができるように構成したことを特徴とする硬貨収納計数器。
【考案の詳細な説明】
【技術分野】
【０００１】
本考案は、硬貨を種別に分けて収納することによって金額か一目でわかるとともに、携帯運搬や保管に適した硬貨収納計数器に関する。
【背景技術】
【０００２】
従来の硬貨収納計数器として、例えば、小売店などの現金を取り扱う各種のビジネスにおいては、入金した硬貨を種別に分類して保管し、定期的に計数して合計金額を集計するのが普通である。その際の硬貨の計数には、例えば、実公平４−３１６４５号公報に記載されているような硬貨収納器型のコインカウンターがよく用いられている。このコインカウンターは、１円硬貨から５００円硬貨までの６種の硬貨が、それぞれに所定の径と厚さを有していることを利用したものであって、６種の硬貨に対し径の異なる６種の凹部を設け、分類した硬貨をそれぞれの硬貨に対して設けられた凹部に端から順に積み重ねて収容して計数するものである。各凹部には目盛が設けられており、この目盛によって端から順に積み重ねた場合の収納枚数と金額とがわかるようにしたものである。
【先行技術文献】
【特許文献】
【０００３】
【特許文献１】実公平４―３１６４５号公報
【考案の概要】
【考案が解決しようとする課題】
【０００４】
しかし、前述の従来の硬貨収納計数器を用いた場合には、集計がなされた硬貨はコインカウンターから取り出されて別の硬貨収納器に保管したり、あるいは別の硬貨を収納して運搬する収納器に収納して運搬することになるため、コインカウンターによって集計したコインを別の硬貨収納器に移すことは余分の手間がかかるばかりか、せっかく集計して集計結果が一目瞭然となった状態を再び崩してしまうことになるので好ましくない。
【０００５】
また、前述の従来の硬貨収納計数器は、断面３角形状で奥側を高く形成していると共に、蓋体が設けられていないため、保管や運搬に不便であると共に、蓋体を設けるにしても、硬貨収納計数器から出っ張る部分や箇所があると、保管性や運搬性、さらには保管時や運搬時における美観性が劣るという問題もある。
【０００６】
さらに、通常、大型の５００円硬貨は、使用頻度が少ない一方、小型の１００円硬貨や１０円硬貨、１円硬貨等は、使用頻度が高いという現実もあり、各硬貨の硬貨収容部を効率良く使用できていないという問題もあった。つまり、従来のものは、硬貨の収納および計算できる数が最大５０枚のものが多いが、実際のレジ内では、使用頻度の高い硬貨の場合には、５０枚以上になる場合が多く、従来のものでは対応できないという問題があった。
【０００７】
またさらに、従来の硬貨収納計数器は、紙幣の収納については、何ら考えられていなかった。
【０００８】
そこで、本考案は、このような問題点を解決するためになされたもので、第１には、硬貨を収容して硬貨の集計を行うことができると共に、集計した状態をそのまま保って運搬や保管することができ、第２には、さらに、保管性や運搬性、さらには保管時や運搬時における美観性が向上し、第３には、さらに、各硬貨の硬貨収容部を効率良く使用でき、第４には、硬貨だけでなく紙幣も収納できる硬貨収納計数器を提供することを目的とする。
【課題を解決するための手段】
【０００９】
前記課題を解決するため、本考案の硬貨収納計数器は、硬貨毎に各硬貨を重ねながら収容する複数の硬貨収容部を横方向に並設すると共に、各硬貨収容部には、収容された硬貨を計数するため各硬貨の厚さに応じた計数目盛が設けられた収納計数器本体と、収納計数器本体の複数の硬貨収容部側を塞ぐ蓋体と、から構成され、収納計数器本体の左右両側面における上側面側には、それぞれ、側方に突出する側方突出部を設ける一方、蓋体の左右両側面における上側面側は、それぞれ、蓋体により蓋をした際に収納計数器本体の側方突出部を避けるように切欠いて、下側面側に起立側面部を形成しており、収納計数器本体に対しその複数の硬貨収容部を塞ぐように蓋体により蓋をした際には、側方突出部と起立側面部とが奥側と手前側とに互い違いに位置する一方、蓋体を下に敷いてその上に収納計数器本体をその複数の硬貨収容部が上を向くように置いた場合、起立側面部の上端部に側方突出部の下端部が当接して、収納計数器本体は、蓋体の上に下側面側が低く、かつ、上側面側が高くなるように設置されることを特徴とする。
ここで、蓋体の上側面の裏側には係止用突起を設け、その上側面の裏側と係止用突起により係止用凹部が形成される一方、収納計数器本体の下側面の表側には、その係止用凹部に嵌まる係止用凸部が設け、蓋体を下に敷いてその上に収納計数器本体をその複数の硬貨収容部が上を向くように置いた場合、起立側面部の上端部に側方突出部の下端部が当接して、収納計数器本体は、蓋体の上に下側面側が低く、かつ、上側面側が高くなるように設置されると共に、収納計数器本体の係止用凸部が蓋体の係止用凹部に嵌まるように構成すると良い。
また、収納計数器本体に対しその複数の硬貨収容部を塞ぐように蓋体により蓋をした際には、側方突出部と起立側面部とが奥側と手前側とに互い違いに位置し、かつ、側方突出部と起立側面部との間に隙間が空かず、それらの側面が面一になるように、側方突出部と起立側面部とが構成されているようにすると良い。
また、５００円硬貨等の直径が大きい大硬貨を収容する硬貨収容部の左右両側面の上部には、それぞれ、切欠き部を設ける一方、その硬貨収容部に収容され、かつ、大硬貨の直径より小さい直径の小硬貨を収容する着脱可能な着脱式小硬貨ホルダーを有し、その着脱式小硬貨ホルダーの左右両側面の外側の上部には、その大きい硬貨を収容する硬貨収容部の左右両側面の切欠き部にそれぞれ嵌まってその着脱式小硬貨ホルダーがその硬貨収容部の下側面まで落下することを防止するホルダー落下防止凸部を設ける一方、その着脱式小硬貨ホルダーの左右両側面の内側の下部には、その小硬貨が当たり下方へ落ちないようにした硬貨落下防止凸部を設けるようにするとさらに良い。
また、収納計数器本体および蓋体の内側の縦方向および横方向の長さは、紙幣の中で大きさが最大の１万円札の縦方向および横方向の長さ以上あり、収容計数機本体の複数の硬貨収容部は、それぞれ対応する硬貨を収容した際に、収容した硬貨の上部の高さが同じ高さに揃うように各硬貨収容部の底部を対応する各硬貨の大きさに応じて凸凹に構成し、蓋体は、収納計数器本体の複数の硬貨収容部にそれぞれ対応する硬貨を収容して蓋をした状態でも、その硬貨の上部と蓋体の天板裏面との間に、紙幣を収容する空間ができるように構成するとさらに良い。
【考案の効果】
【００１０】
本考案の硬貨収納計数器によれば、本考案は硬貨を種別に分けて収納することによって金額か一目でわかるとともに、蓋体により収納計数器本体に蓋をできるようにしたため携帯運搬や保管に適した硬貨収納計数器を提供できる。また、本考案の硬貨収納計数器は、収納計数器本体と筐体の２つにより構成しため、製造が容易になり、製造コストの低減が可能である。また、蓋体を下に敷いてその上に収納計数器本体を置いた場合には、起立側面部の上端部に側方突出部の下端部が当接して、収納計数器本体は蓋体の上に下側面側が低く、かつ、上側面側が高くなるように設置されるため、簡単な構造で使用勝手の良い硬貨収納計数器を提供できる。また、収納計数器本体に対しに蓋体により蓋をした際には、側方突出部と起立側面部とが奥側と手前側とに互い違いに位置し、かつ、側方突出部と起立側面部との間に隙間が空かず、それらの側面が面一になるようにしたため、硬貨収納計数器から出っ張る部分や箇所がなくなり、保管性や運搬性、さらには保管時や運搬時における美観性が向上する。また、５００円硬貨等の直径が大きい大硬貨を収容する硬貨収容部には、直径の１００円や１円等の小硬貨を収容する着脱可能な着脱式小硬貨ホルダーを収容できるようにしたため、各硬貨の硬貨収容部を効率良く使用できる。
【図面の簡単な説明】
【００１１】
【図１】本考案の硬貨収納計数器の使用状態を示す斜視図である。
【図２】本考案の硬貨収納計数器の使用状態における硬貨収容部の縦方向の断面図である。
【図３】本考案の硬貨収納計数器の保管（運搬）状態を示す斜視図である。
【図４】収納計数器本体の斜視図である。
【図５】収納計数器本体の平面図である。
【図６】収納計数器本体の右側面図である。
【図７】収納計数器本体の正面図である。
【図８】１０円硬貨の計数目盛の一例を示す図である。
【図９】収納計数器本体における複数の硬貨収容部を横断する横方向の断面図である。
【図１０】蓋体の斜視図である。
【図１１】蓋体の右側面図である。
【図１２】蓋体の正面図である。
【図１３】蓋体の底面図である。
【図１４】着脱式小硬貨ホルダーの平面図、正面図である。
【図１５】収納計数器本体に着脱式小硬貨ホルダーを設置した状態を示す平面図、断面図である。
【考案を実施するための形態】
【００１２】
以下、本考案に係る硬貨収納計数器の実施の形態を、添付図面を参照しながら詳細に説明する。
【００１３】
本考案の硬貨収納計数器１は、図１〜図３に示すように、硬貨２をその種類毎に収容する収納計数器本体１１と、収納計数器本体１１の複数の硬貨収容部１１ａ〜１１ｆを塞ぐ蓋体１２とから構成されている。なお、この硬貨収納計数器１では、使用時には、図１および図２に示すように、収納計数器本体１１は、蓋体１２の上に、奥側を高くし、手前側を低くした傾斜状態にして設置される一方、運搬または保管には、図３に示すように、収納計数器本体１１は蓋体１２によって蓋がされる。また、この硬貨収納計数器１では、後述する図１４および図１５に示すように、着脱式小硬貨ホルダー１３が装着可能である。なお、着脱式小硬貨ホルダー１３は、使用せずに省略しても良い。
【００１４】
収納計数器本体１１は、図４よび図５に示すように、例えば、１円から５円、１０円、５０円、１００円、５００円の６種類の硬貨２毎に各硬貨２を縦方向に重ねながら収容する６つの硬貨収容部１１ａ〜１１ｆを横方向に並設していると共に、各硬貨収容部１１ａ〜１１ｆには、図４および図５では図示しないが、図８に示すように、収容された硬貨２を計数するため各硬貨２の厚さに応じた計数目盛が設けられている。なお、図８に示す計数目盛は、１０円硬貨を計測するためのもので、１０円硬貨を収容する硬貨収容部１１ｃの底面に、貼り付けたり、刻印されており、他の硬貨２についても同様な計数目盛が用意されている。
【００１５】
ここで、収納計数器本体１１の左右両側面１１１，１１２の上側面側１１４には、それぞれ、図４〜図７等に示すように、側方に突出する側方突出部１１１ａ，１１２ａが設けられている。一方、蓋体１２の左右両側面１２１，１２２の上側面側１２３は、図１０〜図１３に示すように、それぞれ、蓋体１２により蓋をした際に収納計数器本体１１の側方突出部１１１ａ，１１２ａを避けるように切欠かれ、下側面側１２４に起立側面部１２１ａ，１２２ａが形成されている。そのため、収納計数器本体１１に対しその複数の硬貨収容部１１ａ〜１１ｆ側を塞ぐように蓋体１２により蓋をした際には、図３に示すように、収納計数器本体１１と蓋体１２の奥側と手前側とを合わせて側方突出部１１１ａ，１１２ａと起立側面部１２１ａ，１２２ａとが奥側と手前側とに互い違いに位置することになる。
【００１６】
一方、図１に示すように、蓋体１２を下に敷いてその上に収納計数器本体１１をその複数の硬貨収容部１１ａ〜１１ｆ側が上を向くように置いた場合、起立側面部１２１ａ，１２２ａの上端部にそれぞれ側方突出部１１１ａ，１１２ａの下端部が当接する。そのため、収納計数器本体１１は、蓋体１２の上に下側面１１３側が低く、かつ、上側面１１４側が高くなるように設置されることになる。そのため、本考案の硬貨収納計数器１によれば、収納計数器本体１１の各硬貨収容部１１ａ〜１１ｆそれぞれに対応する１円〜５００円の６種類の硬貨２を収容すると、自然に位置が低い収納計数器本体１１の手前側である下側面１１３側から収容されていき、各硬貨収容部１１ａ〜１１ｆそれぞれの計数目盛によって計数できる。
【００１７】
ここで、本実施形態の収納計数器本体１１の各硬貨収容部１１ａ〜１１ｆでは、図５等に示すように、それぞれ、収納計数器本体１１の下側面１１３から所定距離だけ離れた位置の左右および底の側壁に、各硬貨２の裏面が当たり下側面１１３まで落ちないようにした硬貨落下防止凸部１１ａ１〜１１ｆ１を設けて、その硬貨落下防止凸部１１ａ１〜１１ｆ１の下方に指を挿入して硬貨２を取り出すことができるように指入れ空間部１１ａ２〜１１ｆ２を形成している。その結果、各硬貨収容部１１ａ〜１１ｆに、対応する硬貨２を複数枚収容した場合でも、それぞれの指入れ空間部１１ａ２〜１１ｆ２に、例えば、一指し指または親指を入れて最下位の硬貨２を下から支える一方、各硬貨収容部１１ａ〜１１ｆに収容された最上位の硬貨２に親指または一指し指を入れることにより、各硬貨収容部１１ａ〜１１ｆから複数枚の各硬貨２をまとめて一度に摘んで簡単に取り出すことが可能となる。
【００１８】
また、蓋体１２の手前側となる上側面１２３の裏側には、図１０等に示すように、係止用突起１２３ａを設けることにより、その上側面１２３の裏側と係止用突起１２３ａにより係止用凹部１２３ｂを設ける一方、収納計数器本体１１の手前側となる上側面１１３の表側には、図４等に示すように、その係止用凹部１２３ｂに嵌まる係止用凸部１１３ａを設けている。そのため、図１に示すように、蓋体１２を下に敷いてその上に収納計数器本体１１をその複数の硬貨収容部１１ａ〜１１ｆ側が上を向くようにして、起立側面部１２１ａ，１２２ａの上端部に側方突出部１１１ａ，１１２ａの下端部を当接させ、収納計数器本体１１を蓋体１２の上に設置した場合には、図２に示すように、収納計数器本体１１の係止用凸部１１３ａが蓋体１２の係止用凹部１２３ｂに嵌まることになる。その結果、収納計数器本体１１に多数の硬貨２を収容して、収納計数器本体１１の重量が増し、傾斜状態の収納計数器本体１１が手前側に滑って平面状態になろうとしても、収納計数器本体１１が蓋体１２の上で手前側に滑ることがなくなり、収納計数器本体１１を蓋体１２の上に傾斜状態で確実に保持することが可能となる。
【００１９】
また、収納計数器本体１１の両側面１１１，１１２の手前側の端部は、それぞれ、斜めの傾斜面部１１１ｂ，１１２ｂが設けられており、図１や図２に示すように、蓋体１２に収納計数器本体１１を傾斜状態で設置した場合には、その傾斜面１１１ｂ，１１２ｂが蓋体１２の両側面１２１，１２２の上端面に面同士で接触する。そのため、この点でも蓋体１２に収納計数器本体１１を傾斜状態で確実に設置することが可能となる。
【００２０】
また、図３に示すように、収納計数器本体１１に対しその複数の硬貨収容部１１ａ〜１１ｆ側を塞ぐように蓋体１２により蓋をした際には、収納計数器本体１１と蓋体１２の奥側と手前側とを合わせて側方突出部１１１ａ，１１２ａと起立側面部１２１ａ，１２２ａとが奥側と手前側とに互い違いに位置し、かつ、側方突出部１１１ａ，１１２ａと起立側面部１２１ａ，１２２ａとの間に隙間が空かず、それらの側面が面一になるように構成されている。そのため、本考案の硬貨収納計数器１は、蓋をした際には、図３に示すように、収納計数器本体１１や蓋体１２から出っ張る部分や箇所がないので、保管性や運搬性が向上すると共に、保管時や運搬時における美観性も向上する。
【００２１】
また、さらに、直径が大きい５００円硬貨を収容する硬貨収容部１１ｆ等の左右両側面の上部には、図５に示すように、それぞれ、切欠き部１１ｆ３を設ける一方、その硬貨収容部１１ｆには、図１４に示すように、５００円硬貨の直径より小さい直径の小硬貨である１００円硬貨や５０円硬貨等を収容する着脱可能な着脱式小硬貨ホルダー１３を設けている。着脱式小硬貨ホルダー１３の左右両側面１３１，１３２の外側の上部には、図１４に示すように、硬貨収容部１１ｆの左右両側面の切欠き部１１ｆ３にそれぞれ嵌まってその着脱式小硬貨ホルダー１３が硬貨収容部１１ｆの底面まで落下することを防止するホルダー落下防止凸部１３１ａ，１３２ａを設ける一方、その着脱式小硬貨ホルダー１３の左右両側面１３１，１３２の内側と底面１３３の下部には、その小硬貨が当たり下方へ落ちないようにした硬貨落下防止凸部１３４を設けている。
【００２２】
そのため、硬貨収容部１１ｆに５００円硬貨がほとんど収容されていない場合には、図１５に示すように、その硬貨収容部１１ｆに着脱式小硬貨ホルダー１３を収容して、硬貨収容部１１ｆに、着脱式小硬貨ホルダー１３を介して５００円硬貨より小さく、枚数が多い１００円硬貨や１０円硬貨などを収容することもできる。なお、複数の硬貨収容部１１ａ〜１１ｆと同様に、着脱式小硬貨ホルダー１３にも、硬貨の厚さに応じた計数目盛を設けておけば、収容だけでなく計数も行うことができる。
【００２３】
また、この硬貨収納計数器１では、収納計数器本体１１および蓋体１２の内側の縦方向および横方向の長さは、紙幣の中で大きさが最大の１万円札の縦方向および横方向の長さ以上にしており、収容計数機本体１１の複数の硬貨収容部１１ａ〜１１ｆは、図９に示すように、それぞれ対応する硬貨２を収容した際に、収容した硬貨２の上部の高さが同じ高さに揃うように各硬貨収容部１１ａ〜１１ｆの底部を対応する各硬貨２の大きさに応じて凸凹に構成している。そして、蓋体１２は、図９に示すように、収納計数器本体１１の複数の硬貨収容部１１ａ〜１１ｆにそれぞれ対応する硬貨２を収容して蓋をした状態でも、その硬貨２の上部と蓋体１２の天板裏面との間に、紙幣３を収容する空間ができるように構成している。
【００２４】
そのため、この硬貨収納計数器１では、図９に示すように、収納計数器本体１１の複数の硬貨収容部１１ａ〜１１ｆにそれぞれ対応する硬貨２を収容して蓋をした状態でも、その硬貨２の上部と蓋体１２の天板裏面との間に紙幣３も収容することが可能となり、非常に使用勝手が良く、便利である。
【００２５】
なお、以上説明した硬貨収納計数器１では、着脱式小硬貨ホルダー１３は、直径が大きい５００円硬貨を収容する硬貨収容部１１ｆに装着するように説明したが、それ以外の硬貨の硬貨収容部に装着できるのであれば、５００円硬貨の硬貨収容部１１ｆに限るものではない。また、以上説明した硬貨収納計数器１は、日本の硬貨２を一例に説明したが、本発明では、これに限らず、他の国の硬貨に対しても、勿論、適用可能である。
【符号の説明】
【００２６】
１…硬貨収納計数器
１１…収納計数器本体
１１ａ〜１１ｆ  硬貨収容部
１１ａ１〜１１ｆ１…硬貨落下防止凸部
１１ａ２〜１１ｆ２…指入れ空間部
１１１，１１２…側方突出部
１１３ａ…係止用凸部
１１ｆ３…切欠き部
１２…蓋体
１２１，１２２…起立側面部
１２３ａ…係止用突起
１２３ｂ…係止用凹部
１３…着脱式小硬貨ホルダー
１３１ａ，１３２ａ…ホルダー落下防止凸部
１３４…硬貨落下防止凸部
２…硬貨
３…紙幣
【図１】
0003178419.tif 000003
【図２】
0003178419.tif 000004
【図３】
0003178419.tif 000005
【図４】
0003178419.tif 000006
【図５】
0003178419.tif 000007
【図６】
0003178419.tif 000008
【図７】
0003178419.tif 000009
【図８】
0003178419.tif 000010
【図９】
0003178419.tif 000011
【図１０】
0003178419.tif 000012
【図１１】
0003178419.tif 000013
【図１２】
0003178419.tif 000014
【図１３】
0003178419.tif 000015
【図１４】
0003178419.tif 000016
【図１５】
0003178419.tif 000017